(57)【要約】      （修正有）【課題】コネクタ部が設けられたトランスアクスルを洗浄後に乾燥させるに際し、コネクタ部に固定部品なしで取り付けた防水治具が風圧で外れてしまうことを抑制することが可能なトランスアクスルの洗浄及び乾燥装置を提供する。【解決手段】トランスアクスルの洗浄及び乾燥装置は、トランスアクスルに設けられた筒状のコネクタ部に取り付けてコネクタ部を塞ぐための防水治具１０を有する。防水治具１０は、コネクタ部の側面に接触させた状態でコネクタ部の外側に嵌める筒状部１１を有する。筒状部１１は、コネクタ部へ嵌める側の端部において一部（肉抜き部１４）が肉抜きされた構造を有する。装置は、防水治具１０をコネクタ部に取り付けることで、コネクタ部の側面における肉抜き部１４に対応する部分を露出させたまま、防水治具１０でコネクタ部を塞ぎ、その状態でトランスアクスルの洗浄及び乾燥を行う。【選択図】図１
2019083092.tif 000002
【特許請求の範囲】
【請求項１】
トランスアクスルの洗浄及び乾燥装置であって、
前記トランスアクスルに設けられた筒状のコネクタ部に取り付けて前記コネクタ部を塞ぐための防水治具を有し、
前記防水治具は、前記コネクタ部の側面に接触させた状態で前記コネクタ部の外側に嵌める筒状部を有し、
前記筒状部は、前記コネクタ部へ嵌める側の端部において一部が肉抜きされた構造を有し、
前記防水治具を前記コネクタ部に取り付けることで、前記コネクタ部の側面における前記一部に対応する部分を露出させたまま、前記防水治具で前記コネクタ部を塞ぎ、その状態で前記トランスアクスルの洗浄及び乾燥を行う
トランスアクスルの洗浄及び乾燥装置。
【発明の詳細な説明】
【技術分野】
【０００１】
本発明は、トランスアクスルの洗浄及び乾燥装置に関する。
【背景技術】
【０００２】
特許文献１には、トランスアクスルの洗浄装置が開示されている。この洗浄装置には、洗浄時にトランスアクスルの開口部を塞ぐためのマスキングユニットが固定されている。
【先行技術文献】
【特許文献】
【０００３】
【特許文献１】特開昭６３−１７８８８３号公報
【発明の概要】
【発明が解決しようとする課題】
【０００４】
発明者は、トランスアクスルのコネクタ部に、洗浄装置側又はトランスアクスル側に固定するための固定部品を用いずに防水治具を取り付けて、洗浄及び乾燥を行った。
その結果、洗浄後にトランスアクスルをエアブローノズル等で乾燥させる際に、防水治具が風圧で外れることがあった。
【０００５】
そこで、本発明の目的は、コネクタ部が設けられたトランスアクスルを洗浄後に乾燥させるに際し、コネクタ部に固定部品なしで取り付けた防水治具が風圧で外れてしまうことを抑制することが可能なトランスアクスルの洗浄及び乾燥装置を提供することにある。
【課題を解決するための手段】
【０００６】
上記目的を達成するための本発明の一態様は、
トランスアクスルの洗浄及び乾燥装置であって、
前記トランスアクスルに設けられた筒状のコネクタ部に取り付けて前記コネクタ部を塞ぐための防水治具を有し、
前記防水治具は、前記コネクタ部の側面に接触させた状態で前記コネクタ部の外側に嵌める筒状部を有し、
前記筒状部は、前記コネクタ部へ嵌める側の端部において一部が肉抜きされた構造を有し、
前記防水治具を前記コネクタ部に取り付けることで、前記コネクタ部の側面における前記一部に対応する部分を露出させたまま、前記防水治具で前記コネクタ部を塞ぎ、その状態で前記トランスアクスルの洗浄及び乾燥を行う、
トランスアクスルの洗浄及び乾燥装置である。
【０００７】
この一態様に係るトランスアクスルの洗浄及び乾燥装置では、防水治具の筒状部が、コネクタ部へ嵌める側の端部において一部が肉抜きされた構造を有し、コネクタ部の側面における上記一部に対応する部分を露出させたまま、トランスアクスルの洗浄及び乾燥を行う。よって、この一態様によれば、コネクタ部が設けられたトランスアクスルを洗浄後に乾燥させるに際し、コネクタ部に固定部品なしで取り付けた防水治具が風圧で外れてしまうことを抑制することが可能なトランスアクスルの洗浄及び乾燥装置を提供することができる。
【発明の効果】
【０００８】
本発明によれば、コネクタ部が設けられたトランスアクスルを洗浄後に乾燥させるに際し、コネクタ部に固定部品なしで取り付けた防水治具が風圧で外れてしまうことを抑制することが可能なトランスアクスルの洗浄及び乾燥装置を提供することができる。
【図面の簡単な説明】
【０００９】
【図１】本発明の一実施形態に係るトランスアクスルの洗浄及び乾燥装置に備えられる防水治具の一例を示す概略図である。
【図２】本発明の一実施形態に係るトランスアクスルの洗浄及び乾燥装置で洗浄及び乾燥されるトランスアクスルの一例を概略的に示す斜視図である。
【図３】図２のトランスアクスルにおける、コネクタ部を有する電子部品を拡大した図である。
【図４】図３の電子部品のコネクタ部に図１の防水治具を取り付け、洗浄及び乾燥を行う状態を示す図である。
【図５】本発明の一実施形態に係るトランスアクスルの洗浄及び乾燥装置に備えられる防水治具の他の例を示す概略図である。
【発明を実施するための形態】
【００１０】
以下、本発明の一実施形態に係るトランスアクスルの洗浄及び乾燥装置（以下、「洗浄及び乾燥装置」と称する）、並びにその装置に備えられる防水治具について、図面を参照しながら説明する。
【００１１】
図１は、本実施形態に係る洗浄及び乾燥装置に備えられる防水治具の一例を示す概略図、図２は、その洗浄及び乾燥装置で洗浄及び乾燥されるトランスアクスルの一例を概略的に示す斜視図である。また、図３は、図２のトランスアクスルにおける、コネクタ部を有する電子部品を拡大した図、図４は、図３の電子部品のコネクタ部に図１の防水治具を取り付け、洗浄及び乾燥を行う状態を示す図である。
【００１２】
図１に示すように、本実施形態に係る防水治具１０は、筒状部１１、把持部１２、及び凸部１３を有する。防水治具１０は、図２に示すようなトランスアクスル１に設けられた筒状のコネクタ部２２に取り付けてコネクタ部２２を塞ぐための治具である。
【００１３】
防水治具１０の各部位について説明するに先立ち、防水治具１０を取り付ける対象となるコネクタ部２２について、簡単に説明する。コネクタ部２２は、トランスアクスル１に電気系統を接続するために設けられており、コネクタ部２２の内部にはそのための端子が設けられている。コネクタ部２２は、トランスアクスル１に備えられる電子部品２０の一部として、電子部品本体２１に固定されている。
【００１４】
次に、防水治具１０の詳細について説明する。防水治具１０は、例えば樹脂により形成される。防水治具１０の筒状部１１は、その内壁部分において図３に示すコネクタ部２２の側面（筒状の部分の外壁）２２ａに接触させた状態で、そのコネクタ部２２の外側に嵌める部位である。ここでは、コネクタ部２２及び筒状部１１の双方の断面（嵌める方向に垂直な断面）が四角形の角を丸めた形状である例を挙げている。
【００１５】
そして、筒状部１１は、コネクタ部２２へ嵌める側の端部において、肉抜き部１４で例示するようにその一部が肉抜きされた構造となっている。肉抜き部１４は、筒状部１１の周囲に１又は複数箇所形成しておくことができる。ここでは、肉抜き部１４が、筒状部１１の周囲において、コネクタ部２２の４つの側面２２ａのそれぞれに対応して合計４箇所形成されているものとする。
【００１６】
把持部１２は、防水治具１０の取り付け及び取り外しの際に作業者が把持するための部位で、筒状部１１の他端側（肉抜き部１４がある側とは反対側）に設けられている。凸部１３は、把持部１２とは反対側に延びた部位であり、コネクタ部２２の内側に嵌挿される。よって、凸部１３の外形は、防水治具１０で塞ぐ対象である筒状のコネクタ部２２の内壁２２ｂ（図３参照）の形状と合うように形成されている。
【００１７】
防水治具１０は、凸部１３をコネクタ部２２の内壁２２ｂに沿ってコネクタ部２２の内部に嵌挿し且つ筒状部１１をコネクタ部２２の外側に嵌めることで、図４に示すようにコネクタ部２２に取り付けられる。このとき、凸部１３がコネクタ部２２の内部を塞ぎ、筒状部１１がコネクタ部２２の側面２２ａを覆うことになり、コネクタ部２２の内部の端子の部分が防水される。
【００１８】
なお、図４に示すように、コネクタ部２２の側面２２ａにおける肉抜き部１４に対応する部分は、露出させたままとなるが、防水機能は果たしている。また、図３及び図４で示す側面２２ａの２つの突起２２ｃは、その先端側を肉抜き部１４に当接させるために設けられる。但し、突起２２ｃは設けなくてもよい。
【００１９】
そして、本実施形態に係る洗浄及び乾燥装置は、このようにコネクタ部２２に防水治具１０が取り付けられた状態で、図示しない洗浄手段により洗浄液を用いてトランスアクスル１を洗浄する。このとき、コネクタ部２２は、凸部１３及び筒状部１１により防水されているため、洗浄液が内部の端子が存在する部分に侵入することはない。なお、コネクタ部２２の側面２２ａにおける肉抜き部１４に対応する部分（露出部分）は防水性には影響を与えず、この露出部分からコネクタ部２２の内部へ洗浄液が侵入することはない。
【００２０】
また、本実施形態に係る洗浄及び乾燥装置は、図４で例示したようなエアブローノズル２、及びそこにエアを供給する供給手段（図示せず）を有する。この洗浄及び乾燥装置は、洗浄後に、防水治具１０をコネクタ部２２に取り付けたまま、エアブローノズル２を用いてトランスアクスル１の乾燥を行う。防水治具１０を取り外して乾燥させると、トランスアクスル１の表面に残った洗浄液が、エアブローノズル２からのエアによってコネクタ部２２の内部に入り込む可能性があるためである。
【００２１】
コネクタ部２２の近くを乾燥させる場合、例えば図４の太線矢印で示すような方向からエアブローノズル２によってトランスアクスル１にエアを吹き付けることができる。特に、短時間で完全にトランスアクスル１を乾燥させるためには、エアブローノズル２から大きな流量でエアを吹き付ける必要が生じる。なお、洗浄及び乾燥装置では、エアブローノズル２の位置や吹き付けるエアの方向を変更する機構を有することが短時間で乾燥を済ませるために望ましい。
【００２２】
乾燥時にも洗浄時と同じく、防水治具１０がコネクタ部２２に取り付けられた状態、即ち、コネクタ部２２の側面２２ａにおける肉抜き部１４に対応する露出部分を露出させたまま防水治具１０でコネクタ部２２を塞いだ状態である。ここで、筒状部１１におけるコネクタ部２２へ嵌める側の端部は、エアブローノズル２からのエアにより強い圧力（風圧）を受ける部分に相当する。しかし、本実施形態における筒状部１１では、上記端部の一部が肉抜き部１４として削除され（肉抜き形状となり）、上記端部の面積が小さくなっている。
【００２３】
これにより、防水治具１０が上記端部の側から強い風圧を受ける場合（上記端部で強い風圧を受ける場合）であっても、肉抜き形状を採用しない場合と比較すると風圧の影響を軽減させることができる。このように、本実施形態では、筒状部１１がコネクタ部２２へ嵌める側の端部から肉抜きされた構造であるため、乾燥時の風圧により防水治具１０が抜けて吹き飛んでしまうことを抑制することができる。大きな流量でエアを吹き付けて短時間で乾燥を完了させようとする場合には、本実施形態は特に有益となる。また、本実施形態では、防水治具１０を、洗浄及び乾燥装置側又はトランスアクスル１側に固定するための固定部品が不要である。
【００２４】
（代替例）
次に、本実施形態において適用可能な様々な代替例について説明する。
防水治具１０において、筒状部１１、把持部１２、及び凸部１３は一体に形成されることが強度上、望ましいと言えるがこれに限ったものではない。また、防水治具１０は、樹脂製に限ったものではないが、防水性を考慮すると少なくとも凸部１３の表面は樹脂製であることが望ましい。防水治具１０を樹脂成形により形成する場合には、肉抜き部１４を有する筒状部１１の形状に成形しておいてもよいし、筒状部１１を成形後に把持部１２の反対側の端部から肉抜き部１４を切り取るなどして取り除いてもよい。
【００２５】
コネクタ部２２と防水治具１０は、両者が接触する部分においてより密着している方が防水性能及び耐風圧性能が増すが、コネクタ部２２からの防水治具１０の取り付け及び取り外しも考慮して両者の寸法等を決めるとよい。
【００２６】
また、肉抜き部１４が４箇所に形成された例を挙げたが、１又は複数個所に形成されていればよく、特に乾燥時の風圧がかかる箇所に形成されていればよい。また、肉抜き部１４の形状は問わず、乾燥時の風圧などに応じて適宜決めておけばよい。
【００２７】
また、トランスアクスル１に設けられるコネクタ部２２の形状は、円筒状、多角筒状、多角筒の一部を丸めた筒状など、筒状であればよい。洗浄及び乾燥装置では、コネクタ部２２の形状に応じた筒状部１１を有する防水治具１０を洗浄及び乾燥時に用いればよい。
【００２８】
また、トランスアクスル１にコネクタ部２２が複数設けられる場合には、洗浄及び乾燥時にコネクタ部２２のそれぞれに対し、それぞれのコネクタ部２２の形状に合った防水治具１０を取り付けておけばよい。
【００２９】
なお、電子部品２０の形状及びトランスアクスル１上での配置は問わない。また、トランスアクスル１は、その形状を問わず、トランスミッションとファイナルギア及びディファレンシャルギアを一体化した装置であればよい。例えば、トランスアクスル１が小型の変速機が含まれる小型のものである場合にも、上述した防水治具でコネクタ部を防水して洗浄及び乾燥を行うことができる。
【００３０】
また、上述した防水治具１０は、図５で例示する防水治具１０ａのような形状とすることもできる。図５は、本実施形態に係る洗浄及び乾燥装置に備えられる防水治具の他の例を示す概略図である。
【００３１】
図５に示す防水治具１０ａは、図１に示した防水治具１０と、筒状部１１ａにテーパ部１１ｂを有する点で異なり、他の点は同様である。テーパ部１１ｂは、筒状部１１ａにおけるコネクタ部２２へ嵌める側の端部から把持部１２へ向かうに連れて厚みを増すようなテーパ形状を有する。これにより、図５において太線矢印で示すようにエアが流れ、エアの風圧によって防水治具１０ａが電子部品２０のコネクタ部２２から外れることを抑制することができる。テーパ部１１ｂは、筒状部１１ａの全ての外周に形成しておくこともできるが、少なくとも乾燥時のエアによる風圧が高くなる箇所に形成しておけばよい。
【００３２】
以上において、トランスアクスルの洗浄及び乾燥装置及びその装置で用いる防水治具について説明したが、この防水治具は、説明したものに限ったものではなく、肉抜き部を有する筒状部の機能を有するとともに防水機能を有するものであればよい。
【００３３】
また、トランスアクスルの洗浄及び乾燥装置についてその細部を説明していないが、上述した防水治具をコネクタ部に取り付けて洗浄及び乾燥を行うことが可能な装置であればよい。
【００３４】
以上に、本実施形態について説明したが、上記実施形態は、以下の特徴を有する。
即ち、上記実施形態に係るトランスアクスルの洗浄及び乾燥装置は、トランスアクスル１に設けられた筒状のコネクタ部２２に取り付けてコネクタ部２２を塞ぐための防水治具１０を有する。防水治具１０は、コネクタ部２２の側面に接触させた状態でコネクタ部２２の外側に嵌める筒状部１１を有する。筒状部１１は、コネクタ部２２へ嵌める側の端部において一部（肉抜き部１４）が肉抜きされた構造を有する。防水治具１０をコネクタ部２２に取り付けることで、コネクタ部２２の側面における肉抜き部１４に対応する部分を露出させたまま、防水治具１０でコネクタ部２２を塞ぎ、その状態でトランスアクスル１の洗浄及び乾燥を行う。
【００３５】
このようなトランスアクスルの洗浄及び乾燥装置では、防水治具１０の筒状部１１が、コネクタ部２２へ嵌める側の端部において一部（肉抜き部１４）が肉抜きされた構造を有し、コネクタ部２２の側面における肉抜き部１４に対応する部分を露出させたまま、トランスアクスル１の洗浄及び乾燥を行う。よって、この一態様によれば、コネクタ部２２が設けられたトランスアクスル１を洗浄後に乾燥させるに際し、コネクタ部２２に固定部品なしで取り付けた防水治具１０が風圧で外れてしまうことを抑制することが可能なトランスアクスルの洗浄及び乾燥装置を提供することができる。
【符号の説明】
【００３６】
１  トランスアクスル
２  エアブローノズル
１０，１０ａ  防水治具
１１，１１ａ  筒状部
１１ｂ  テーパ部
１２  把持部
１３  凸部
１４  肉抜き部
２０  電子部品
２１  電子部品本体
２２  コネクタ部
２２ａ  側面
２２ｂ  内壁
２２ｃ  突起
【図１】
2019083092.tif 000003
【図２】
2019083092.tif 000004
【図３】
2019083092.tif 000005
【図４】
2019083092.tif 000006
【図５】
2019083092.tif 000007